(57)【要約】【課題】誘導対象者のリアルタイムな生体情報を考慮し、誘導対象者の生理状態を所望の状態に効果的かつ容易に誘導できるようにする。【解決手段】ＣＰＵ１１は、生体センサー部３からの検出出力に基づいて、現在の誘導対象者の生理状態に同調する刺激を感覚提示装置部４（１）、４（２）、４（３）に発生させるようにする制御信号を形成し、これを感覚提示装置部４（１）、４（２）、４（３）に供給して、一定期間、誘導対象者のそのときの生理状態に同調する生理状態を現出させるようにする刺激を与えた後に、生理状態を目的とする状態に誘導するようにする刺激を発生させるための制御信号を形成し、これを感覚提示装置部４（１）、４（２）、４（３）に供給して、誘導対象者に与える刺激を変化させ、目的とする生理状態に誘導する。【選択図】        図１
2004222818.tif 000002
【特許請求の範囲】
【請求項１】
視覚、聴覚、嗅覚、味覚、触覚の内の少なくとも１つ以上の感覚に対して刺激を与えるようにする感覚提供手段と、
生理状態を誘導しようとする誘導対象者の生体情報を検出する検出手段と、
前記検出手段からの検出結果に基づいて、前記検出結果が示す前記誘導対象者の生理状態と同質となる生理状態を現出させる刺激を前記誘導対象者に与える同質期を設けるように、前記感覚提供手段を制御する第１の制御手段と、
前記同質期の後において、前記誘導対象者の生理状態を目的とする状態に引き込むように刺激を与える引き込み期を設けるように、前記感覚提示手段を制御する第２の制御手段と
を備えることを特徴とする生理状態誘導装置。
【請求項２】
請求項１に記載の生理状態誘導装置であって、
前記第２の制御手段は、前記誘導対象者に与える刺激を予め決められた態様で変化させるように、前記感覚提示手段を制御するようにすることを特徴とする生理状態誘導装置。
【請求項３】
請求項１に記載の生理状態誘導装置であって、
前記第２の制御手段は、前記検出手段からの検出結果に同調あるいは関連付けて、前記誘導対象者に与える刺激を変化させ、目的とする生理状態に引き込むように、前記感覚提示手段を制御することを特徴とする生理状態誘導装置。
【請求項４】
請求項１、請求項２または請求項３に記載の生理状態誘導装置であって、
前記検出手段により検出される前記生体情報は、心拍情報、脈拍情報、呼吸情報、血圧情報、心電図情報、脳波情報、皮膚の発汗情報、皮膚抵抗情報、体動情報、脳磁図情報、筋電情報、体表面温度、瞳孔径の大きさ、マイクロバイブレーション情報、生化学反応情報の中の少なくとも１つ以上であることを特徴とする生理状態誘導装置。
【請求項５】
請求項１、請求項２または請求項３に記載の生理状態誘導装置であって、
前記感覚提供手段は、少なくとも２種類以上の刺激を前記誘導対象者に対して提供できるものであることを特徴とする生理状態誘導装置。
【請求項６】
生理状態を誘導しようとする誘導対象者の生体情報を検出する検出ステップと、
前記検出ステップにおいて検出された検出結果に基づいて、前記検出結果が示す前記誘導対象者の生理状態と同質となる生理状態を現出させる刺激を与える同質期を設けるようにする同質期ステップと、
前記同質期の後において、前記誘導対象者の生理状態を目的とする状態に引き込むように刺激を与える引き込み期を設けるようにする引き込み期ステップと
を有することを特徴とする生理状態誘導方法。
【請求項７】
請求項６に記載の生理状態誘導方法であって、
前記引き込み期間ステップにおいては、予め決められた態様で前記誘導対象者に与える刺激を変化させるようにするようにすることを特徴とする生理状態誘導方法。
【請求項８】
請求項６に記載の生理状態誘導方法であって、
前記引き込み期間ステップにおいては、前記検出ステップにおいて検出される検出結果に同調あるいは関連付けて、前記誘導対象者に与える刺激を変化させ、目的とする生理状態に引き込むようにすることを特徴とする生理状態誘導方法。
【請求項９】
請求項６、請求項７または請求項８に記載の生理状態誘導方法であって、
前記検出ステップにおいて検出される前記生体情報は、心拍情報、脈拍情報、呼吸情報、血圧情報、心電図情報、脳波情報、皮膚の発汗情報、皮膚抵抗情報、体動情報、脳磁図情報、筋電情報、体表面温度、瞳孔径の大きさ、マイクロバイブレーション情報、生化学反応情報の中の少なくとも１つ以上であることを特徴とする生理状態誘導方法。
【請求項１０】
請求項６、請求項７または請求項８に記載の生理状態誘導方法であって、
前記同調期間ステップと、前記引き込み期間ステップとにおいては、少なくとも２種類以上の刺激を前記誘導対象者に対して提供することを特徴とする生理状態誘導方法。
【発明の詳細な説明】
【０００１】
【発明の属する技術分野】
この発明は、例えば、心拍数、脈拍数、呼吸数などの生体情報を利用して、誘導対象者の生体の状態を目的とする状態に誘導できるようにする方法、装置に関する。
【０００２】
【従来の技術】
例えば、音楽などを聴くことによって、リラックスした気分になったり、快活な気分になったりすることがあるが、このように音楽などの刺激を与えることによって、人のいわゆる精神状態を目的とする方向に誘導するようにする技術として、例えば、特許文献１（特開２００１−２５２２６５号公報）に記載されたバイオフィードバック装置がある。
【０００３】
このバイオフィードバック装置は、例えば、１／ｆゆらぎなどに基づいて時系列的に刺激発生装置の出力を変化させるようにして、この装置の使用者に刺激を与えることにより、当該使用者をリラックスした気分にさせたり、快活な気分にさせたりするなどのことを可能にしようとするものであり、意識的に制御することが難しい精神状態を制御可能にしようとする１つの手法を提供している。
【０００４】
【特許文献１】
特開２００１−２５２２６５号公報
【０００５】
【発明が解決しようとする課題】
しかしながら、上述した特許文献１に記載されたバイオフィードバック装置の場合には、当該装置の使用者の精神状態を目的とする状態に誘導するのに時間がかるなど、目的とする実効性を得ることが難しい場合があると考えられる。
【０００６】
また、上述のバイオフィードバック装置が実現しようとするリラックスした気分や快活な気分にするなどのいわゆる精神状態の制御だけでなく、例えば、痛みを緩和したり、心拍や呼吸を整えたりするなどの生理的な状態の制御や、さらには、悲しい、楽しい、怒りなどの種々の感情状態の制御をも容易にできるようにしたいとする要求がある。
【０００７】
以上のことにかんがみ、この発明は、人のリアルタイムな生体情報を考慮し、その人の精神状態や種々の生理的な状態や感情状態をも含めた人の生理状態を容易に所望の状態に誘導できるようにする装置および方法を提供することを目的とする。
【０００８】
【課題を解決するための手段】
上記課題を解決するため、請求項１に記載の発明の生理状態誘導装置は、
視覚、聴覚、嗅覚、味覚、触覚の内の少なくとも１つ以上の感覚に対して刺激を与えるようにする感覚提供手段と、
生理状態を誘導しようとする誘導対象者の生体情報を検出する検出手段と、
前記検出手段からの検出結果に基づいて、前記検出結果が示す前記誘導対象者の生理状態と同質となる生理状態を現出させる刺激を前記誘導対象者に与える同質期を設けるように、前記感覚提供手段を制御する第１の制御手段と、
前記同質期の後において、前記誘導対象者の生理状態を目的とする状態に引き込むように刺激を与える引き込み期を設けるように、前記感覚提示手段を制御する第２の制御手段と
を備えることを特徴とする。
【０００９】
請求項１に記載の発明の生理状態誘導装置によれば、生理状態の誘導対象者の生体情報が検出手段により検出され、この検出結果に基づいて、第１の制御手段により、誘導対象者の生理状態と同質となる生理状態を現出させる刺激を与える同質期を設けるように、感覚提供手段が制御される。この後、第２の制御手段により、使用者の生理状態を目的とする生理状態に引き込むように刺激を与える引き込み期を設けるように、感覚提供手段が制御される。
【００１０】
このように、まず同質期を設けることにより、現状の生理状態を緩和するようにし、この後の引き込み期において、目的とする生理状態に徐々に引き込むようにすることによって、容易にかつ効果的に目的とする生理状態に引き込む（誘導する）ことができるようにされる。
【００１１】
【発明の実施の形態】
以下、図を参照しながら、この発明による装置、方法の一実施の形態について説明する。なお、この明細書において、生理状態という文言は、リラックスした気分、快活な気分などの精神状態、悲しい、楽しい、怒りなどの感情状態、さらには、痛みやかゆみ、心拍、脈拍、呼吸などの生理的な状態をも含むものである。
【００１２】
［実施の形態の装置、方法の概要］
初めに、この実施の形態の装置、方法の概要について説明する。この実施の形態の装置、方法は、生理状態の誘導対象者からの、誘導させようとする目的とする生理状態の誘導方向やその大きさについての情報を受け付け、この指示された生理状態（目的とする生理状態）に誘導対象者の生理状態を誘導するようにするものであるが、容易に、また、効果的に生理状態を誘導できるようにするため、音楽療法における「同質の原理」を利用するようにしている。
【００１３】
この「同質の原理」は、例えば、うつ状態にあるときには、初めに鎮静的で暗い曲想の音楽を聴かせることによりネガティブな気分に共感させたのち、徐々にその音楽を中性化させ、最終的にはリラクゼーションへの誘導を促す効果があるというものである。
【００１４】
このため、以下に説明する実施の形態の装置、方法においては、目的とする生理状態についての情報を入力し、目的とする生理状態を指示するようにした後に、まず、生理状態に応じて変化する生体情報を検出することによって、誘導対象者の現状の生理状態を把握する。そして、把握した現状の生理状態と同質となる生理状態を現出させるようにする刺激を与えるようにして、現状の生理状態を緩和し、現状の生理状態とは異なる生理状態に効果的に誘導できるようにする同質期を設ける。
【００１５】
ここで、現状の生理状態と同質となる生理状態を現出させるようにする刺激は換言すれば、現状の生理状態と同質と分類される刺激であり、うつ（鬱）状態における鎮静的で暗い音楽や、そう（躁）状態における快活で明るい音楽などのいわば感覚的に生理状態と関連付けられる刺激等のほか、心拍、脈拍、呼吸などに同調したリズム音、テンポ、メロディ、映像などの直接的に生理状態と関連付けられる刺激をも含むものである。
【００１６】
すなわち、この実施の形態において、生理状態の誘導対象者に与える刺激は、音楽だけでなく、リズム音、テンポ、メロディなどの聴覚に作用する刺激や、映像、電球の点灯、点滅、輝度などの視覚に作用する刺激や、可動模型の動きなどの視覚、聴覚、触覚などに作用する刺激や、トランスデューサーやバイブレータによる振動などの触覚に作用する刺激、その他、臭覚や味覚に作用する刺激など、誘導対象者のいわゆる五感に作用する種々の刺激であって、生理状態に影響を及ぼすようにすることが可能な種々の刺激を用いることができるようにされる。
【００１７】
なお、どのような刺激を用いるかは、どの生理状態のときに、どのような刺激を与えるとその生理状態に対して作用するかの、生理状態と刺激との関連付けを、予め多数の被験者を対象とする試験を行うことによって行っておくことにより、用いる刺激を決めることができる。もちろん、用いる刺激は１つだけでなく、より効果的に生理状態を誘導するために、複数の異なる刺激を同時に与えることもできる。
【００１８】
また、検出する生体情報は、生理状態に応じて変化する種々の情報を用いることができる。例えば、心拍情報、脈拍情報、呼吸情報、血圧情報、心電図情報、脳波情報、皮膚の発汗情報、皮膚抵抗情報、体動情報、脳磁図情報、筋電情報、体表面温度、瞳孔径の大きさ、マイクロバイブレーション情報、生化学反応情報などを用いることが可能である。
【００１９】
つまり、上述した種々の生体情報は、緊張時とリラックス時、注意力が散漫なときと集中しているとき、あるいは、うつ状態のときとそう状態のときなどの生理状態に応じて変化するものであり、これらの生体情報により、誘導対象者の生理状態を把握することができるものである。そして、１種類の生体情報だけでなく、複数の生体情報を検出し、これらに基づいてより正確に生理状態を把握するようにすることも可能である。
【００２０】
そして、暗い気分の時には、どの生体情報がどの程度であり、明るい気分の時にはどの生体情報がどの程度であるか、あるいは、悲しい気分の時にはどの生体情報がどの程度であり、怒っている気分の時にはどの生体情報がどの程度であるか、また、痛みを感じているときにはどの生体情報がどの程度であり、痛みを感じていないときとの差はどの程度あるか等、生理状態である精神状態、感情状態、生理的な状態について、どの生体情報がそれらの状態に応じてよく反応する生体情報であるか等を予め多数の被験者を対象とする試験を行うことによって特定しておくことにより、用いる生体情報を決めることができる。
【００２１】
そして、この実施の形態の装置、方法においては、上述したように、現状の生体情報に基づいて生理状態を把握し、その現状の生理状態と同質の生理状態を現出させるようにする１つ以上の刺激を与える同質期を設けて、現状の生理状態を緩和させた後に、生体情報を指針として、誘導対象者の生理状態を目的とする生理状態に引き込む（誘導する）ように刺激を与える引き込み期を設けるようにする。
【００２２】
この引き込み期においては、誘導対象者に与える刺激を徐々に変換させるようにして与えることによって、誘導対象者の生理状態を目的とする生理状態に引き込む（誘導する）ようにする。
【００２３】
この実施の形態の装置、方法においては、引き込み期において、予め決められたパターンにしたがって、誘導対象者に与える刺激を変化させるようにする方式（以下、オープンループ方式という。）と、誘導対象者の生体情報を監視し生理状態に応じて、誘導対象者に与える刺激を変化させるようにする方式（以下、フィードバックループ方式という。）の２つの方式を用いることができるようにしている。
【００２４】
なお、上述した同質の原理については、（村上直子、横山詔常他、広島県立東部工業技術センター研究報告、第１５号（２００２）、音楽療法による慢性疼痛緩和のためのＣＤ開発）や（伊藤孝子，岩永誠：日本音楽療法学会誌，１（２），１６７−１７３（２００１））等の文献に説明されている。
【００２５】
［装置、方法の具体的な説明］
以下、この発明よる装置、方法の一実施の形態が適用された生理状態誘導装置について具体的に説明する。以下においては、例えば、多少緊張した状態から比較的に落ち着いた生理状態に誘導するようにする場合であって、誘導対象者の生理状態を把握するために検出する生体情報として心拍数を用いる場合を例にし、引き込み期においてオープンループ方式を用いる第１の実施の形態と、フィードバックループ方式を用いる第２の実施の形態とについて説明する。
【００２６】
［第１の実施の形態］
図１は、この第１の実施の形態の生理状態誘導装置を説明するためのブロック図である。図１に示すように、この第１の実施の形態の生理状態誘導装置は、本体装置部１と、キー操作部２と、生体センサー部３と、感覚提示装置部４（１）、４（２）、４（３）、…とからなっている。
【００２７】
本体装置部１は、この生理状態誘導装置の各部を制御するものであり、図１に示したように、ＣＰＵ（Ｃｅｎｔｒａｌ  Ｐｒｏｃｅｓｓｉｎｇ  Ｕｎｉｔ）１１と、ＲＯＭ（Ｒｅａｄ  ＯｎｌｙＭｅｍｏｒｙ）１２と、ＲＡＭ（Ｒａｎｄｏｍ  Ａｃｃｅｓｓ  Ｍｅｍｏｒｙ）１３と、Ａ／Ｄ（アナログ／デジタル）変換器１４、１５と、感覚提示装置部４（１）、４（２）、４（３）、…のそれぞれに対応するＤ／Ａ（デジタル／アナログ）変換器１６（１）、１６（２）、１６（３）、…と、タイマー１７とを備えたものである。
【００２８】
ここで、ＲＯＭ１２は、ＣＰＵ１１により実行されるプログラムや処理に必要になるデータ等が記録されたものである。ＲＡＭ１３は、主に作業領域として用いられるものである。また、Ａ／Ｄ変換器１４、１５は、アナログ信号をデジタル信号に変換するものであり、Ｄ／Ａ変換器１６（１）、１６（２）、１６（３）、…は、デジタル信号をアナログ信号に変換するものである。
【００２９】
また、タイマー１７は、現在年月日、曜日、時刻を提供するカレンダ機能を備えるとともに、目的とする時間分の期間の計測を行う計測機能をも備えたものである。このタイマー１７の計測機能を利用することにより、後述もするように、所定時間分の同質期や引き込み期を正確に設けることができるようにされる。
【００３０】
キー操作部２は、誘導されることにより到達を希望する生理状態（目的とする生理状態）についての情報等の入力を受け付けるものである。キー操作部２は、例えば、生理状態の誘導方向や目的とする生理状態を示す値（大きさ）等の情報の入力を受け付ける。
【００３１】
このように、この第１の実施の形態の生理状態誘導装置は、単にリラクゼーション効果を目的とするものではなく、誘導対象者からの指示に応じて、誘導対象者の生理状態を高揚させる方向にも、また、誘導対象者の生理状態を鎮静させる方向にも誘導することができるようにしたものである。
【００３２】
生体センサー部３は、誘導対象者の生理状態を示す生体情報を検出するものであり、この実施の形態においては、誘導対象者の身体に装着されて使用され、誘導対象者の心拍数を検出するようにする振動センサーによって構成されたものである。
【００３３】
感覚提示装置部４としては、種々の感覚に対して刺激を与えるようにする１つ以上の装置部を設けることが可能である。しかし、この第１の実施の形態においては、説明を簡単にするため、少なくとも３つの感覚提示装置部４（１）、４（２）、４（３）を備えるものとして説明する。
【００３４】
この第１の実施の形態において、感覚提示装置部４（１）は音により、感覚提示装置部４（２）は映像により、また、感覚提示装置部４（３）は可動模型の動きによって、誘導対象者に対して刺激を与えるものである。すなわち、感覚提示装置部４（１）は、リズム等発生器４１１、アンプ（増幅器）４１２、スピーカ４１３からなり、音のリズム、テンポ、あるいは、メロディなどにより、誘導対象者の聴覚に対して刺激を与えるようにするものである。
【００３５】
また、感覚提示装置部４（２）は、映像発生器４２１、信号処理部４２２、表示素子４２３からなり、例えば３次元グラフィックス画像などの映像信号を発生させて、この発生させた映像信号に応じた映像を表示素子４２３の表示画面に表示させることにより、誘導対象者の視覚に対して刺激を与えるようにするものである。
【００３６】
また、感覚提示装置部４（３）は、駆動制御部４３１、可動模型４３２からなり、駆動制御部４３１の制御によって可動模型４３２を可動させることにより、可動模型の動き、可動模型の動きに伴って発生する音や空気振動などによって、誘導対象者の視覚、聴覚、触覚などに対して刺激を与えるようにするものである。
【００３７】
可動模型４３２としては、例えば、心臓や肺などの生体の内臓を模したものやイメージしたものなどが用いられる。もちろん、これに限るものではなく、種々の可動模型を用いるようにすることが可能である。
【００３８】
そして、この生理状態誘導装置の使用者である誘導対象者は、キー操作部２を通じて、誘導されることにより到達を希望する生理状態（目的とする生理状態）についての情報として、生理状態の誘導方向や目的とする生理状態を示す値（大きさ）等の情報を入力する。
【００３９】
この実施の形態においては、上述したように、生理状態を示す生体情報として心拍数を用いるので、生理状態の誘導方向や目的とする生理状態を示す値（大きさ）を示す情報として、誘導されることにより到達することが希望される目的とする心拍数を示す情報が入力されることになる。
【００４０】
心拍数は、緊張時には高くなり、リラックス時には例えば１分間に６０回前後と比較的に低くなるというように、生理状態に対応して変化するものである。また、心拍数は、本来、自律神経によって制御されており、誘導対象者の意思によっては制御が難しい。この実施の形態の生理状態誘導装置は、心拍数を指針とし、この心拍数を目的とする値に誘導することにより、誘導対象者を目的とする生理状態に誘導するようにしている。
【００４１】
そして、キー入力部２を通じて受け付けた誘導対象者からの指示情報は、本体装置部１のＡ／Ｄ変換器１４を通じてＣＰＵ１１に供給される。また、生体センサー部３で検出された生体情報は、本体装置部１のＡ／Ｄ変換器１５を通じてＣＰＵ１１に供給される。
【００４２】
ＣＰＵ１１は、ＲＯＭ１２に格納されたプログラムを読み出して実行し、ＲＡＭ１３を作業領域として用い、同質期においては、生体センサー部３からの検出出力に基づいて、また、引き込み期においては予め決められたパターンや条件にしたがって、感覚提示装置部４（１）、４（２）、４（３）のそれぞれに供給する制御信号を形成し、これを対応する感覚提示装置部４（１）、４（２）、４（３）に供給する。
【００４３】
感覚提示装置部４（１）、４（２）、４（３）のそれぞれは、対応するＤ／Ａ変換器１６（１）、１６（２）、１６（３）からの制御信号に応じて動作することにより、誘導対象者に対して、音、映像、可動模型の動きなどの刺激を提供する。このように、誘導対象者の感覚を刺激することによって、誘導対象者の生理状態を目的とする生理状態に誘導することができるようにしている。
【００４４】
そして、上述もしたように、この第１の実施の形態の生理状態誘導装置では、音楽療法において用いられている上述の同質の原理の手法を、映像や可動模型の動きなどの音以外の刺激についても適用する。すなわち、この第１の実施の形態の生理状態誘導装置は、誘導動作の開始直後の一定期間を同質期とし、この同質期においては、検出される生体情報により示される誘導対象者の生理状態と同質の生理状態を現出させるようにする刺激として、音、映像、可動模型の動きを当該誘導対象者に与える。
【００４５】
この同質期の後に、誘導対象者の生理状態を当該誘導対象者が目的とする生理状態に徐々に引き込むようにする引き込み期を設け、この引き込み期において、徐々に変化する刺激を誘導対象者に与えることによって、目的とする生理状態への誘導を自動的に、しかも容易かつ効果的に行うようにしている。
【００４６】
次に、この第１の実施の形態の生理状態誘導装置において行われる生理状態の誘導処理について、図２のフローチャートを参照しながら説明する。この図２に示す処理は、生理状態誘導装置の主にＣＰＵ１１によって行われる処理であり、この発明による方法が適用されたものである。
【００４７】
この第１の実施の形態の生理状態誘導装置に電源が投入され、例えば、所定の開始操作が誘導対象者により行われると、生理状態誘導装置のＣＰＵ１１は、キー操作部２、Ａ／Ｄ変換器１４を通じて、誘導対象者からの生理状態の誘導方向と大きさ、すなわち、この第１の実施の形態においては、目的とする生理状態にあるときの心拍数（目的とする心拍数）の入力を受け付ける（ステップＳ１０１）。
【００４８】
そして、ＣＰＵ１１は、タイマー１７を制御し、タイマー１７の計測カウンタをゼロクリアして、期間の計測を新たに開始させるようにする（ステップＳ１０２）。次に、ＣＰＵ１１は、生体センサー部３を制御して、生体情報、この第１の実施の形態においては誘導対象者の心拍数の計測を開始させ（ステップＳ１０３）、順次に計測される生体情報を生体センサー部３から取得するようにする（ステップＳ１０４）。
【００４９】
そして、ＣＰＵ１１は、感覚提示装置部４（１）、４（２）、４（３）のそれぞれに供給する制御信号であって、生体センサー部３からの検出出力によって示される現在の誘導対象者の生理状態に同調した生理状態を現出させるようにする刺激を発生させるための制御信号を形成して、これを対応する感覚提示装置部４（１）、４（２）、４（３）のそれぞれに供給する（ステップＳ１０５）。
【００５０】
これにより、感覚提示装置部４（１）、４（２）、４（３）のそれぞれからは、誘導対象者の現在の生理状態と同調する生理状態を現出させるようにする刺激である、音、映像、可動模型の動きなどが誘導対象者に対して提供される。具体的には、後述もするように、計測された心拍数と同じ周期で変化するリズム音や、計測された心拍数と同じ周期で変化する映像や、計測された心拍数と同じ周期で動作する可動模型の動きなどが提供される。
【００５１】
そして、ＣＰＵ１１は、タイマー１７の計測機能により、予め決められた時間Ｎ１分の期間が経過したか否かを判断する（ステップＳ１０６）。このステップＳ１０６の判断処理において、予め決められた時間Ｎ１分の期間が経過していないと判断したときには、ステップＳ１０４からの処理を繰り返す。
【００５２】
このように、予め決められた時間Ｎ１分の期間が、図２において矢印で示したように同質期（同質期間）となり、この同質期において、誘導対象者の現状の生理状態が緩和するようにされ、異なる生理状態への移行を容易に行うことができるようにしている。
【００５３】
そして、ステップＳ１０６の判断処理において、予め決められた時間Ｎ１分の期間が経過した、すなわち、同質期が終了したと判断したときには、ＣＰＵ１１は、引き込み期（引き込み期間）に遷移する。そして、この第１の実施の形態の生理状態誘導装置において、ＣＰＵ１１は、予め決められたパターンにしたがって、誘導対象者の生理状態を誘導対象者により指示された目的とする状態に誘導するための刺激を発生させるようにする制御信号を形成し、これを対応する感覚提示装置部に供給する（ステップＳ１０７）。
【００５４】
ここでは、１２０秒間の間に、線形（リニア）に生理状態を目的とする状態に引き込むように、リズム音、映像の変化、可動模型の動きを徐々に遅くしていくようにされる。これにより、感覚提示装置部４（１）、４（２）、４（３）のそれぞれからは、誘導対象者の生理状態を指示された目的とする生理状態に引き込むようにするための刺激である音、映像、可動模型の動きなどが提供される。
【００５５】
そして、ＣＰＵ１１は、タイマー１７の計測機能により、予め決められた時間Ｎ２分の期間が経過したか否かを判断する（ステップＳ１０８）。このステップＳ１０８の判断処理において、予め決められた時間Ｎ２分の期間が経過していないと判断したときには、ステップＳ１０７からの処理を繰り返すようにする。
【００５６】
このように、同質期終了直後から、ステップＳ１０２においてゼロリセットされたタイマー１７の計測カウンタにより示される予め決められた時間Ｎ２までの期間が、図２において矢印で示したように引き込み期となり、この引き込み期において、誘導対象者の生理状態が、ステップＳ１０１において指示した目的とする生理状態に引き込むようにされる。
【００５７】
ステップＳ１０８の判断処理において、予め決められた時間Ｎ２分の期間が経過した、すなわち、引き込み期が終了した判断したときには、ＣＰＵ１１は、生体センサー部３から検出結果を取得する（ステップＳ１０９）。そして、ＣＰＵ１１は、誘導対象者の現在の生理状態が目的とする状態に誘導されたか否か（この場合には、心拍数が１分間に６５回の状態になったか否か）を判断し（ステップＳ１１０）、目的とする状態に誘導されたと判断したときには、ＣＰＵ１１は、生体センサー部３を制御して、生体情報の計測を終了させ（ステップＳ１１１）、この図２に示す処理を終了する。
【００５８】
また、ステップＳ１１０の判断処理において、まだ目的とする状態に誘導されていないと判断したときには、ＣＰＵ１１は、タイマー１７の計測カウンタを例えば同質期終了時点の値となるようにリセットし（ステップＳ１１２）、ステップＳ１０７からの処理を繰り返して、再度、引き込み期間の処理を行うようにする。このように、引き込み期間を繰り返すことができるようにしておくことにより、誘導対象者の生理状態を目的とする状態に確実に引き込めるようにしている。
【００５９】
このように、再度の引き込みを行うようにする場合には、ステップＳ１０９において取得した生体情報が示す状態に応じた刺激の状態から目的とする生理状態の方向に徐々に刺激を変化させるようにしてもよいし、最初の引き込み期終了時の刺激の状態から引き続いて徐々に変化させるようにしてもよい。
【００６０】
図３は、この第１の実施の形態の生理状態誘導装置において、誘導対象者の生体情報として心拍数を用いた場合であって、同質期を６０秒間、引き込み期を１２０秒間として設定し、１分間当たりの心拍数が７０回である場合の生理状態を、１分間当たりの心拍数が６５回である生理状態に誘導する場合における、心拍数の実測値Ｊ（生体センサー部からの出力値）と、感覚提示装置部４（１）、４（２）、４（３）からの刺激情報の出力値Ｓとについて説明するための図である。
【００６１】
上述のように、初めの６０秒間は、図３に示したように同質期であるので、ＣＰＵ１１は、生体センサー部３からの心拍数の検出結果（実測値）を順次に取得し、この取得した心拍数に同調する刺激を感覚提示装置部４（１）、４（２）、４（３）が発生させるようにするための制御信号Ｃ１、Ｃ２、Ｃ３を形成して、対応する感覚提示装置部４（１）、４（２）、４（３）に供給する。
【００６２】
ここでのＣＰＵ１１の動作について、感覚提供装置部４（１）、４（２）、４（３）の機能と関連付けて説明すると、ＣＰＵ１１は、取得した心拍数に同調するリズム音を発生させるための制御信号Ｃ１を形成して感覚提示装置部４（１）に供給するとともに、取得した心拍数に同調するタイミングで変化する映像を発生させるための制御信号Ｃ２を形成して感覚提示装置部４（２）に提供し、さらに取得した心拍数に同調するタイミングで可動模型を動作させるようにするための制御信号Ｃ３を形成して感覚提示装置部４（３）に供給する。
【００６３】
これにより、感覚提供装置部４（１）、４（２）、４（３）からは、心拍数が７０回である場合の生理状態に同調するリズム音、変化する映像、可動模型の動作が発生するようにされ、これが誘導対象者に提供される。
【００６４】
そして、上述のように感覚提示装置部４（１）、４（２）、４（３）を通じて誘導対象者に提供される刺激情報の出力値を示したものが、図３において点線で示した刺激情報出力値Ｓである。この刺激情報出力値Ｓは、提供する刺激が上述した具定例のリズム音、映像の変化、可動模型の動きの場合には、音や映像が例えば１分間に何回変化するものであるか、可動模型が例えば１分間に何回動作するか等の刺激の提供リズムを示す値である。
【００６５】
そして、図３において、同質期においては、誘導対象者の心拍数が７０回である場合の生理状態に同調する刺激が与えられ、上述もしたように、この誘導対象者の心拍数が７０回である場合の生理状態を緩和するようにして、異なる生理状態への移行をスムースに行うことができるようにしている。
【００６６】
この後、ＣＰＵ１１は、予め決められたパターンにしたがって、１２０秒間の間に心拍数が７０回の生理状態から心拍数が６５回の生理状態に引き込むように刺激を変化させるようにする制御信号Ｃ１、Ｃ２、Ｃ３を形成し、これらを順次に感覚提示装置部４（１）、４（２）、４（３）に供給する。すなわち、図３に示した引き込み期において、刺激情報出力値Ｓが示すように、ＣＰＵ１１は、刺激の提供リズムを徐々に遅くするようにする制御信号Ｃ１、Ｃ２、Ｃ３を形成して、これらを感覚提示装置部４（１）、４（２）、４（３）に供給する。
【００６７】
これにより、誘導対象者に提供されるリズム音、映像、可動模型の動きなどの刺激の提供リズムが徐々に変えられて、誘導対象者の生理状態が徐々に目的とする生理状態に誘導するようにされる。すなわち、この例の場合には、心拍数が１分間に６５回の状態となるように誘導され、目的とする生理状態に誘導されることになる。
【００６８】
このように、この第１の実施の形態の生理状態誘導装置は、心拍数などの無意識下の自律神経によってコントロールされる生体情報を指針とし、これを自動的に誘導するようにすることによって、生理状態を目的とする状態に容易に誘導することができるようにしている。
【００６９】
なお、ここで生理状態として心拍数を例にして説明したが、これに限るものではない。上述もしたように脈拍数や呼吸数、あるいは、心拍、脈拍、呼吸の周期、無意識下における呼吸の深さ、その他の種々の生体情報に基づいて、生理状態を目的とする状態に誘導するようにすることもできる。
【００７０】
また、この第１の実施の形態においては、図２のフローチャートを用いて説明したように、所定時間（例えば１２０秒間）の引き込み期において、誘導対象者の生理状態を目的とする状態に引き込めなかった場合には、再度、所定時間の引き込み期の処理を行うものとして説明したが、これに限るものではない。
【００７１】
例えば、再度の引き込み期は、最初の引き込み期よりも短くしたり、あるいは、長くしたりすることもできる。この場合、図２に示したフローチャートのステップＳ１０９において取得した生体情報に基づいて、再度の引き込み期の処理時間を設定するようにすることもできる。
【００７２】
また、最初の引き込み期において、生理状態を目的とする状態に引き込めなかった場合には、図２に示したフローチャートのステップＳ１０２からの処理を繰り返すようにして、同質期の処理から行うようにしてもよい。
【００７３】
また、図２に示したフローチャートのステップＳ１０９において取得した生体情報に基づいて、生体情報が示す生理状態が目的とする状態に遠い場合には同質期からの処理を繰り返し、生体情報が示す生理状態が目的とする状態に近い場合には、引き込み期だけを繰り返すようにすることもできる。
【００７４】
また、この第１の実施の形態においては、図３にも示したように、引き込み期においては、感覚提示装置部４（１）、４（２）、４（３）により提供される刺激の出力値を線形（リニア）に変化させるようにする制御信号を形成するようにしたが、これに限るものではない。例えば、刺激の出力値を曲線を描くように変化させたり、ジグザグを描くように変化させたりするなど、種々のパターンにしたがって形成することができる。
【００７５】
このような、引き込み期において用いる、引き込みのための刺激の形成パターンは、例えば、多数の被験者について、どの刺激をどのように与えることによって効果的に生理状態を目的とする状態に引き込めるかを試験しておくことにより設定することが可能である。
【００７６】
［第２の実施の形態］
上述した第１の実施の形態の生理状態誘導装置の場合、引き込み期においては、予め決められたパターンにしたがって、感覚提示装置部４（１）、４（２）、４（３）に刺激を発生させるようにする制御信号Ｃ１、Ｃ２、Ｃ３を形成するようにした。しかし、引き込み期においても、生体センサー部３からの生体情報の検出出力を考慮して制御信号を形成するようにすれば、誘導対象者毎の生体情報に応じて、より効果的に生理状態を目的とする状態に誘導することができる。
【００７７】
そこで、この第２の実施の形態の生理状態誘導装置は、第１の実施の形態の生理状態誘導装置の場合と同様に、同質期と引き込み期とを設けて、生理状態を目的とする状態に誘導するようにするが、引き込み期においても、生体センサー部３からの生体情報の検出出力をフィードバックさせるようにするフィードバックループ方式を用いるものである。
【００７８】
なお、この第２の実施の形態の生理状態誘導装置もまた、図１に示した第１の実施の形態の生理状態誘導装置と同様に構成されるものである。このため、第２の実施の形態の生理状態誘導装置の構成についての説明は、上述の第１の実施の形態の場合と同じであるため省略する。
【００７９】
以下、図１をも参照しながら、この第２の実施の形態の生理状態誘導装置について説明する。まず、この第２の実施の形態の生理状態誘導装置において行われる生理状態の誘導処理について、図４のフローチャートを参照しながら説明する。この図４に示す処理は、生理状態誘導装置の主にＣＰＵ１１によって行われる処理であり、この発明による方法が適用されたものである。
【００８０】
そして、図４に示す生理状態の誘導処理を説明するためのフローチャートにおいて、ステップＳ２０１からステップＳ２０６までの処理は、図２に示した第１の実施の形態の生理状態の誘導処理を説明するためのフローチャートにおけるステップＳ１０１からステップＳ１０６の各ステップの処理と同様に行われる。
【００８１】
すなわち、この第２の実施の形態の生理状態誘導装置においても、生理状態の誘導方向と大きさ、すなわち、第１の実施の形態の生理状態誘導装置の場合と同様に、目的とする心拍数の誘導対象者からの入力を受け付け（ステップＳ２０１）、タイマー１７の計測カウンタをゼロリセットして、新たに期間の計測を開始させ（ステップＳ２０２）、生体センサー部３を制御して心拍数の計測を開始させる（ステップＳ２０３）。
【００８２】
この後、予め決められた時間Ｎ１までの間においては、ステップＳ２０４から２０６の処理を繰り返すことにより、予め決められた時間Ｎ１分の同質期が設けられるようにされ、現在の生理状態を緩和させて、異なる生理状態への移行をスムースに行えるようにしている。
【００８３】
この同質期の終了後、ＣＰＵ１１は、引き込み期に遷移し、生体センサー部３において計測された生体情報を順次に取得し（ステップＳ２０７）、取得した生体情報に基づいて、生体情報を誘導方向にΔＸ分ずらすようにする刺激を発生させるための制御信号Ｃ１、Ｃ２、Ｃ３を形成し、これらを対応する感覚提示装置部４（１）、４（２）、４（３）に供給する（ステップＳ２０８）。
【００８４】
この場合、実際の生体情報に対する刺激のずれ量ΔＸは、予め複数の被験者を対象として、この方法に基づく生体情報の誘導処理を行い、その結果に基づいて統計的に決めておくことができる。もちろん、誘導対象者が設定したり、微調整するようにしてもよい。
【００８５】
これにより、感覚提示装置部４（１）、４（２）、４（３）からは、現在の生理状態に基づいて、生理状態を目的とする状態に引き込むようにするための刺激が発生するようにされる。
【００８６】
そして、ＣＰＵ１１は、生体センサー部３から得られる生体情報よって示される生理状態が目的とする状態に誘導されたか否か（心拍数が１分間に６５回の状態になったか否か）を判断する（ステップＳ２０９）。ステップＳ２０９の判断処理において、まだ目的とする生理状態に誘導されていないと判断したときには、ＣＰＵ１１は、タイマー１７の計測カウンタの値に基づいて、予め決められた時間Ｎ２分の期間が経過したか否かを判断する（ステップＳ２１０）。
【００８７】
このステップＳ２１０の判断処理において、予め決められた時間Ｎ２分の期間が経過していないと判断したときには、ステップＳ２０７からの処理を繰り返し、現在の生体情報に基づいて、生理状態を目的とする状態に誘導するようにする刺激を発生させるようにする制御信号を形成し、これを感覚提示装置部４（１）、４（２）、４（３）する処理を行うようにして、誘導対象者の生理状態を目的とする状態に引き込むようにする処理を続行する。
【００８８】
そして、ステップＳ２０９の判断処理において、誘導対象者の生理状態が目的とする状態に誘導されたと判断した場合、または、ステップＳ２１０の判断処理において、予め決められた時間Ｎ２分の期間が経過したと判断したときには、ＣＰＵ１１は、生体センサー部３を制御して、生体情報の計測を終了し（ステップＳ２１１）、この図４に示す処理を終了する。
【００８９】
この第２の実施の形態においても、上述のように、同質期終了直後から、ステップＳ２０２においてゼロリセットされたタイマー１７の計測カウンタにより示される予め決められた時間Ｎ２までの期間が、図４において矢印で示したように引き込み期となり、この引き込み期においては、誘導対象者の生体情報が順次に取得され、この生体情報に基づいて、誘導対象者の生理状態をステップＳ２０１において指示された目的とする生理状態に誘導するようにする処理が行われる。
【００９０】
そして、この第２の実施の形態の場合には、引き込み期の期間内においても、誘導対象者の生体情報に基づいて、刺激を発生させるための制御信号が形成されるので、当該誘導対象者の生理状態に応じて、より効果的な生理状態の誘導処理を行うようにすることができる。
【００９１】
また、この第２の実施の形態の場合には、引き込み期の期間内であっても、目的とする状態に生理状態が誘導された場合には、ステップＳ２０９の判断処理により、生理状態の誘導が終了したと判断し、生理状態の誘導処理が終了するようにされる。これにより、必要以上に生理状態の誘導処理を続行することも無いようにされる。
【００９２】
図５は、この第２の実施の形態の生理状態誘導装置において、第１の実施の形態の場合と同様に、誘導対象者の生体情報として心拍数を用いた場合であって、同質期間を６０秒間、引き込み期間を１２０秒間として設定し、１分間当たりの心拍数が７０回である場合の生理状態を、１分間当たりの心拍数が６５回の生理状態に誘導する場合においての、心拍数の実測値Ｊと、感覚提示装置部４（１）、４（２）、４（３）からの刺激情報の出力値とについて説明するための図である。
【００９３】
上述したように、初めの６０秒間は、図５に示したように同質期であるので、ＣＰＵ１１は、生体センサー部３からの心拍数の検出結果（実測値）を順次に取得し、この取得した心拍数に同調する刺激を感覚提示装置部４（１）、４（２）、４（３）が発生させるようにするための制御信号Ｃ１、Ｃ２、Ｃ３を形成して、対応する感覚提示装置部４（１）、４（２）、４（３）に供給する。
【００９４】
これにより、感覚提供装置部４（１）、４（２）、４（３）からは、心拍数が７０回である場合の生理状態に同調するリズム音、変化する映像、可動模型の動作が発生され、これが誘導対象者に提供されることになる。
【００９５】
そして、上述のように感覚提示装置部４（１）、４（２）、４（３）を通じて誘導対象者に提供される刺激情報の出力値を示したものが、図４において点線で示した刺激情報出力値Ｓである。この刺激情報出力値Ｓは、提供する刺激が第１の実施の形態の場合と同様に、リズム音、映像の変化、可動模型の動きの場合には、音や映像が例えば１分間に何回変化するか、可動模型が例えば１分間に何回動作するか等の刺激の提供リズムを示す値である。
【００９６】
そして、図４において、同質期間においては、誘導対象者の心拍数が７０回である場合の生理状態に同調する刺激が与えられ、この誘導対象者の心拍数が７０回である場合の生理状態を緩和するようにして、異なる生理状態への移行をスムースに行うことができるようにしている。
【００９７】
この後、ＣＰＵ１１は、順次に取得する誘導対象者の生体情報（心拍数）に基づいて、検出された心拍数よりも誘導方向にΔＸだけずらした提供リズムで刺激を発生させるようにするための制御信号Ｃ１、Ｃ２、Ｃ３を形成し、これらを順次に感覚提示装置部４（１）、４（２）、４（３）に供給する。
【００９８】
すなわち、図５において、刺激情報出力値Ｓが示すように、ＣＰＵ１１は、刺激の提供リズムを心拍数よりもΔＸだけ遅くするようにする制御信号Ｃ１、Ｃ２、Ｃ３を形成して、これらを感覚提示装置部４（１）、４（２）、４（３）に供給する。
【００９９】
これにより、誘導対象者に提供される音、映像、可動模型の動きなどの刺激の提供リズムが、誘導対象者の生理状態に応じて、徐々に変えられて、誘導対象者の生理状態が徐々に目的とする生理状態に誘導するようにされる。すなわち、この例の場合には、心拍数が１分間に６５回の状態となるように誘導され、目的とする生理状態となるようにされる。
【０１００】
このように、この第２の実施の形態の生理状態誘導装置は、引き込み期間においても、誘導対象者の生体情報をＣＰＵ１１にフィードバックさせるようにして、心拍数を目的とする心拍数に誘導するようにすることによって、目的とする生理状態により効果的に誘導することができるようにしている。
【０１０１】
なお、この第２の実施の形態においても、脈拍数や呼吸数、あるいは、心拍、脈拍、呼吸の周期、無意識下における呼吸の深さ、その他の種々の生体情報に基づいて、生理状態を目的とする状態に誘導するようにすることもできる。
【０１０２】
また、この第２の実施の形態においては、１回の同質期間と引き込み期間とで、誘導対象者の生理状態を目的とする状態に誘導できるものとして説明したが、これに限るものではない。上述した第１の実施の形態の場合と同様に、所定時間（例えば１２０秒間）の引き込み期間において、誘導対象者の生理状態を目的とする状態に引き込めなかった場合には、再度、所定時間の引き込み期間の処理を行うようにしてもよい。
【０１０３】
また、再度の引き込み期間は、最初の引き込み期間よりも短くしたり、あるいは、長くしたりすることもできる。この場合、引き込み期間の終了時の誘導対象者の生理状態に基づいて、再度の引き込み期間の処理時間を設定するようにすることもできる。
【０１０４】
また、最初の引き込み期間において、生理状態を目的とする状態に引き込めなかった場合には、図４に示したフローチャートのステップＳ２０２からの処理を繰り返すようにして、同質期間の処理から行うようにしてもよい。
【０１０５】
また、誘導対象者の生体情報に基づいて、生体情報が示す生理状態が目的とする状態に遠い場合には同質期間からの処理を繰り返し、生体情報が示す生理状態が目的とする状態に近い場合には、引き込み期間だけを繰り返すようにすることもできる。
【０１０６】
また、この第２の実施の形態においては、図５にも示したように、引き込み期間においては、感覚提示装置部４（１）、４（２）、４（３）により提供される刺激の出力値を、生体情報の実測値Ｊよりも誘導方向にΔＸ分ずらすようにしたが、ずれ分ΔＸを変更するようにしてもよい。
【０１０７】
例えば、最初は、ΔＸの値を大きく取り、急速に生理状態を誘導方向に誘導した後、ΔＸの値を小さくして、徐々に目的とする状態に誘導するようにすることもできる。つまり、ΔＸの値は、誘導対象者の生理状態や引き込み期における経過時間などに基づいて、適宜変更するようにすることもできる。
【０１０８】
また、上述した第１、第２の実施の形態においては、生理状態が目的とする状態に誘導された場合に、誘導処理を終了するようにした。しかし、第１、第２のいずれの生理状態誘導装置の場合にも、所定時間目的とする生理状態が維持できた場合に、生理状態が目的とする状態に誘導されたと判断して生理状態の誘導処理を終了するようにすることもできる。
【０１０９】
また、上述した第１、第２の実施の形態においては、同質期を６０秒間とし、引き込み期を１２０秒間とした場合を例にして説明した。しかし、これに限るものではない。予め多数の被験者に対して、生理状態の誘導処理を行うことにより、多くの誘導対象者にとって有効な平均値的な同質期の長さと引き込み期の長さとを統計的に求めこれを用いるようにしたり、ほとんどの誘導対象者にとって有効な安全値的な同質期の長さと引き込み期の長さとを統計的に求めこれを用いるようにすることもできる。
【０１１０】
また、誘導対象者毎に各誘導対象者に応じた同質期の長さと引き込み期の長さとを設定することもできるし、同質期の時間は設定せずに、誘導対象者からの指示入力をトリガとして、同質期から引き込み期へ遷移させるようにしてもよい。
【０１１１】
［誘導対象者に与える刺激の他の例］
上述した第１、第２の実施の形態の生理状態誘導装置においては、誘導対象者の生理状態を誘導するために与える刺激としては、聴覚に作用するリズム音と、視覚に作用する変化する映像と、視覚、聴覚、触覚などに作用する可動模型の動きとを用いるようにしたが、これに限るものではない。
【０１１２】
例えば、音の刺激の場合には、抑揚のあるリズム音の他、抑揚がない単なるテンポを提供するようにしたり、例えば、ＭＩＤＩ（Ｍｕｓｉｃａｌ  Ｉｎｓｔｒｕｍｅｎｔ  ＤｉｇｉｔａｌＩｎｔｅｒｆａｃｅ）音源を用いて所定のメロディのテンポを変えるようにしたりするなどしてもよい。
【０１１３】
また、音の刺激の場合には、音色や音質などを変えることにより、生理状態を誘導するようにすることもできるし、映像の刺激の場合には、輝度や色相、あるいは、映像の内容などを変えることにより、生理状態を誘導するようにすることもできる。つまり、誘導対象者が例えばうつ状態にあるときには、暗いイメージの音楽や映像を提供し、徐々に明るいイメージの音や映像を提供することにより、そう状態の方向に誘導対象者の生理状態を誘導するようにすることもできる。
【０１１４】
このように、刺激の提供リズムだけでなく、提供する刺激が誘導対象者に与える感じ方を左右する刺激の質や内容を変化させることにより、誘導対象者の生理状態を変化させるようにすることができる。つまり、生理状態に関連付けられる刺激を与えるようにすることもできる。なお、暗いイメージの音楽や映像などは、多数の被験者を対象として、アンケート調査するなどして、統計的に予め決めておくことが可能である。
【０１１５】
また、電球や色付きの電球などを点灯、消灯、点滅させるなどして、光や色によって視覚を刺激して、生理状態を目的とする状態に誘導するようにしてもよいし、またトランスデューサーやバイブレータによる振動によって、生理状態を目的とする状態に誘導するようにしてもよい。光の場合には、映像の場合と同様に、輝度を変化させることにより、生理状態を誘導するようにすることも可能である。
【０１１６】
また、例えば香水を噴霧することにより嗅覚を刺激したり、提供する飲み物の味を自動的に変えるようにして、味覚を刺激するようにしたり、また、室温を調整して、触覚（皮膚感覚）に刺激を与えるようにしてもよい。
【０１１７】
このように、聴覚、視覚、嗅覚、味覚、触覚のいわゆる五感を種々の態様で刺激するようにする様々な刺激を用いることが可能である。そして、上述した第１、第２の実施の形態の場合のように、複数の刺激を組み合わせて用いるようにしてもよいし、また、音の刺激だけ、あるいは、映像の刺激だけというように、単一の刺激だけを用いるようにしてももちろんよい。
【０１１８】
［生体情報の他の例］
第１、第２の実施の形態において説明したように、誘導対象者の生体情報としては、心拍数、脈拍数、呼吸数、あるいは、心拍、脈拍、呼吸の周期、無意識下における呼吸の深さなど、計測可能な種々の心拍情報、脈拍情報、呼吸情報を用いることが可能であることを説明した。しかし生体情報は、これに限るものではない。
【０１１９】
上述もしたように、例えば、心拍情報、脈拍情報、呼吸情報、血圧情報、心電図情報、脳波情報、皮膚の発汗情報、皮膚抵抗情報、体動情報、脳磁図情報、筋電情報、体表面温度、瞳孔径の大きさ、マイクロバイブレーション情報、生化学反応情報など、生理状態に対応して変化する生体情報であって、計測可能な種々の生体情報を用いることができる。つまり、上述した種々の生体情報は、誘導対象者の身体に装着する振動センサー、圧力センサー、温度センサー等により、また誘導対象者の身体に装着する電極からの電流検出を行うなどの方法により、正確に計測することが可能なものである。
【０１２０】
なお、これらの生体情報のうち、どの生体情報を用いるかは、上述もしたように、目的とする生理状態に応じてより反応する生体情報は何かを予め複数の被験者に対する試験などにより決めておくようにすることにより、最適な生体情報を用いるようにすることができる。もちろん、用いる生体情報は１つに限るもではなく、生理状態をより的確に把握することができるように、複数の生体情報を同時に計測して用いるようにしてももちろんよい。
【０１２１】
したがって、例えば、うつ状態やそう状態などの精神状態に応じて変化する生体情報は何か、痛みやかゆみ等の生理的な状態に応じて変化する生体情報は何か、また、悲しい気分や怒った気分などの感情状態に応じて変化する生体情報を何か予め複数の被験者に対する試験などにより把握しておくことにより、その生体情報を指針として誘導を行うようにすることにより、精神状態、生理的な状態、感情状態のいずれをも目的とする方向に誘導することができる。
【０１２２】
すなわち、緊張状態からリラックスした状態への誘導、この逆にリラックスした状態から緊張した状態、あるいは、痛みの緩和、あるいは、平常状態から悲しい気分の状態、あるいは、平常状態から怒った気分の状態などへの誘導を行うようにすることが可能ある。
【０１２３】
したがって、リラックスした状態を容易に現出させるようにしたり、緊張状態を容易に現出させて処理能力を向上させるようにしたり、また、痛みやかゆみなどを緩和させたり、また、感情状態を誘導することにより、俳優がよりよい演技を行いやすくする等の効果をもたらすことが可能である。つまり、人間の意思によっては制御が難しい、種々の生理状態の制御を行うようにすることができる。
【０１２４】
また、生体情報をより効果的に変えるようにすることができる刺激はどのような刺激であるかについても、予め複数の被験者に対する試験などにより決めておくことにより、より効果的な誘導処理を行うようにすることができる。
【０１２５】
したがって、上述した実施の形態においては、目的とする生理状態の誘導方向や大きさを示す情報として、目的とする心拍数の値そのものを用いるようにしたが、これに限るものではない。上述したように、生理状態と生体情報の関連付け表を作成しておくことにより、リラックス状態のレベル１、２、３、…、快活状態のレベル１、２、３、…、集中状態のレベル１、２、３、…、睡眠誘発状態など、目的とする生理状態の誘導方向や大きさを示す情報を入力するようにすることもできる。
【０１２６】
また、入力情報は、目的とする生理状態の誘導方向や大きさを示す情報だけでなく、誘導対象者の年齢や性別などの種々の情報の供給を受け、これらの情報に応じて、生理状態を誘導させるために与える刺激の変化を調整するようにすることも可能である。このようにする場合には、種々の条件に応じて、本体装置部１のＣＰＵ１１で実行される生理状態の誘導処理プログラムにおいて用いるデータを変えるようにすることにより実現することが可能である。
【０１２７】
また、例えば、用いる刺激を音による刺激と手に与える振動との２つにし、また、計測する生体情報を脈拍数にするなど、与える刺激と計測する生体情報とを選択するようにすれば、携帯に適したごく小型の生体情報誘導装置を構成することも可能である。
【０１２８】
このような小型の生理状態誘導装置の場合には、例えば、試験会場や会議場などに持ち込んで、その場で利用し、興奮した生理状態を安定した生理状態であって、例えば脳波としてアルファ波が出ている生理状態に誘導するようにすることができるようにされる。
【０１２９】
また、上述した第１、第２の実施の形態の場合のように、映像や可動模型、さらには、トランスデューサーなどをも設けた比較的に大きなシステムを構成するようにし、例えば家庭やホテルなどの設備の１つとして設けるようにすることもできる。
【０１３０】
また、図１に示した生理状態誘導装置のうち、感覚提供装置部以外の部分を提供するようにし、感覚提供装置部としては、ステレオセットやホームシアターシステムなどの既にあるものを用いるようにすることも可能である。もちろん、生体センサー部３をも外付けの装置として、本体装置部１、キー操作部２だけからなる装置を生理状態誘導装置として提供し、生体センサーや感覚提供装置は、外付けの、あるいは、既に用いられているものを用いるようにすることも可能である。
【０１３１】
なお、生理状態の誘導可能範囲は、誘導対象者の健康に影響を及ぼさない等の所定の範囲とされ、必要以上に生理状態を所定の方向に誘導するようなことは無いようにされることはいうまでもない。これは、誘導対象者の生体情報を生理状態誘導装置が得るので、これに基づいて、必要以上の誘導は行わないようにすることもできるし、最初の目的とする生理状態に関する情報の入力時に大きく生理状態を変化させるような指示入力を受け付けないようにするなどのことにより対応可能である。
【０１３２】
【発明の効果】
以上説明したように、この発明によれば、現状の生理状態を緩和させた後に、目的とする生理状態への引き込みを行うようにすることによって、効果的に生理状態の誘導を行い、確実かつスムースに目的とする生理状態に誘導することができる。
【図面の簡単な説明】
【図１】この発明が適用された装置の一実施の形態を説明するためのブロック図である。
【図２】この発明が適用された装置の動作を説明するためのフローチャートである。
【図３】図２に示した動作が行われた場合の誘導対象者の生体情報と誘導対象者に与えられる刺激についての出力値とを示す図である。
【図４】この発明が適用された装置の他の動作を説明するためのフローチャートである。
【図５】図４に示した動作が行われた場合の誘導対象者の生体情報と誘導対象者に与えられる刺激についての出力値とを示す図である。
【符号の説明】
１…本体装置部、１１…ＣＰＵ、１２…ＲＯＭ、１３…ＲＡＭ、１４、１５…Ａ／Ｄ変換器、１６（１）、１６（２）、１６（３）…Ｄ／Ａ変換器、２…キー操作部、３…生体センサー、４（１）、４（２）、４（３）…感覚提示装置部、４１１…、リズム等発生器、４１２…アンプ、４１３…スピーカ、４２１…映像発生器、４２２…信号処理部、４２３…表示素子、４ｎ１…駆動制御部、４ｎ２…可動模型
【図１】
2004222818.tif 000003
【図２】
2004222818.tif 000004
【図３】
2004222818.tif 000005
【図４】
2004222818.tif 000006
【図５】
2004222818.tif 000007